(57)【要約】【課題】吸入に用いる特定のガスをいつでも携帯して供給することができるガス供給構造を提供する。【解決手段】  ガス供給構造は、容器本体１０、バルブ部材２０、凝縮部材３０及び調整部材４０を備える。容器本体１０は、収納空間を有して開口１２が設けられ、開口１２には、雌ネジの螺設部１２１が設けられる。バルブ部材２０は、上方に圧力計２１が設けられ、下方に容器本体１０を組み合わせる締結部２２が凸設される。締結部２２の底部には、内側に向かって入力口が設けられる。バルブ部材２０の両側には、組立孔２３及び位置規制孔２４がそれぞれ設けられる。位置規制孔２４内に変位空間が設けられる。変位空間は、組立孔２３に向かって穿設された調整流路であり、調整流路を介して、圧力計２１の圧力流路と、入力口の入力流路とが連通される。【選択図】図２
0003177878.tif 000002
【実用新案登録請求の範囲】
【請求項１】
容器本体、バルブ部材、凝縮部材及び調整部材を備えたガス供給構造であって、
前記容器本体は、収納空間を有して開口が設けられ、前記開口には、螺設部が設けられ、
前記バルブ部材は、上方に圧力計が設けられ、下方に前記容器本体を組み合わせる締結部が形成され、前記締結部の底部には、内側に向かって入力口が設けられ、前記バルブ部材の両側には、組立孔及び位置規制孔がそれぞれ設けられ、前記位置規制孔内に変位空間が設けられ、前記変位空間は、前記組立孔に向かって穿設された調整流路であり、前記調整流路を介して、前記圧力計の圧力流路と、前記入力口の入力流路とが連通され、
前記凝縮部材は、流路ベース及び凝縮容器を有し、前記流路ベースの内部には、頂部から凝縮管が下方へ向かって延伸され、前記凝縮管には、ガス流路が設けられるとともに、外部により導管が接続され、前記流路ベースの外側には、前記バルブ部材の前記組立孔に組み合わせることが可能な組立部が凸設され、前記組立部は、端部から前記流路ベース内部に向かって輸送流路が設けられ、前記凝縮容器は、前記流路ベースに取り付けられ、
前記調整部材は、弁棒、位置規制螺合部材及びつまみを有し、前記弁棒は、頭部が大きなストッパ部を有するとともに、前記ストッパ部の前端中央部から錐状の調整針部が延伸され、前記ストッパ部は、後段部の前記弁棒上に雄ネジの螺動部が形成され、末端部に結合部が形成され、前記弁棒は、前記ストッパ部により前記バルブ部材内部の前記変位空間内へ位置が拘束されるように入れられ、前記弁棒を前記位置規制螺合部材に貫設させて前記位置規制孔へ螺着させ、前記つまみと前記弁棒の末端部に設けられた結合部とを組み合わせて固定させることを特徴とするガス供給構造。
【考案の詳細な説明】
【技術分野】
【０００１】
本考案は、ガス供給構造に関するものであり、さらに詳しくは、吸入に用いる特定のガスを何時でも携帯してユーザに供給することができるガス供給構造に関するものである。
【背景技術】
【０００２】
ユーザが特殊な状況下におかれる場合、特に、ユーザが疲労していたり、汚染された環境又は特殊な高温・高圧の環境下におかれる場合、吸入に用いる特定のガスを供給し、特殊な養分をユーザに供給して身体を正常な状態に回復させることが必要な場合がある。現在市販されている身体に特殊なガスを供給する方式は、高圧で充填したガスボンベに吸入器を組み合わせることにより、ガスを吸入することができる。前述のタイプのガスボンベは、一般にコストを考慮してガスボンベ自体が大型の鋼鉄製ボンベであり、ガスボンベ内に充填して特定ガスを排出した後、特定の工場で回収して新たにガスボンベを充填しなければ繰り返して使用することはできないという問題がある。一般にユーザにとっては、ガスボンベを製造工場へ繰り返して送り返したり様々なガスへ交換する必要性があったが、必要なときに特定のガスを取り出して使用することができないという問題もあった。この点が従来技術の最大の欠点であった。
【０００３】
特許文献１には、本考案者が提案したものであり、携帯に便利であり、ユーザに特定の気体をいつでも供給することが可能な気体供給構造であって、瓶体、頂部、放出部及び吸入部を備えたものである。
【特許文献１】実用新案登録第３１７１４８３号公報
【考案の概要】
【考案が解決しようとする課題】
【０００４】
本考案の主な課題は、何時でも携帯可能で、特定粉末及び水を一定量及び一定比率で混合した後、安全に操作して何時でも何処でもガス供給構造を使用することにより有益なガスを吸入することができ、ユーザは何時でも必要に応じて様々な粉末及び液体を組み合わせて特定のガスを発生させることにより繰り返して使用し、ガス供給構造の容器本体を様々な規格及びサイズに設計することができ、これにより必要に応じて何時でも携帯できる比較的小さな容器本体を選択し、又は比較的大きな容器本体を選択することができるガス供給構造を提供することにある。
【課題を解決するための手段】
【０００５】
上記課題を解決するために、本考案によれば、容器本体、バルブ部材、凝縮部材及び調整部材を備えたガス供給構造であって、
前記容器本体は、収納空間を有して開口が設けられ、前記開口には、螺設部が設けられ、前記バルブ部材は、上方に圧力計が設けられ、下方に前記容器本体を組み合わせる締結部が形成され、前記締結部の底部には、内側に向かって入力口が設けられ、前記バルブ部材の両側には、組立孔及び位置規制孔がそれぞれ設けられ、前記位置規制孔内に変位空間が設けられ、前記変位空間は、前記組立孔に向かって穿設された調整流路であり、前記調整流路を介して、前記圧力計の圧力流路と、前記入力口の入力流路とが連通され、
前記凝縮部材は、流路ベース及び凝縮容器を有し、前記流路ベースの内部には、頂部から凝縮管が下方へ向かって延伸され、前記凝縮管には、ガス流路が設けられるとともに、外部により導管が接続され、前記流路ベースの外側には、前記バルブ部材の前記組立孔に組み合わせることが可能な組立部が凸設され、前記組立部は、端部から前記流路ベース内部に向かって輸送流路が設けられ、前記凝縮容器は、前記流路ベースに取り付けられ、
前記調整部材は、弁棒、位置規制螺合部材及びつまみを有し、前記弁棒は、頭部が大きなストッパ部を有するとともに、前記ストッパ部の前端中央部から錐状の調整針部が延伸され、前記ストッパ部は、後段部の前記弁棒上に雄ネジの螺動部が形成され、末端部に結合部が形成され、前記弁棒は、前記ストッパ部により前記バルブ部材内部の前記変位空間内へ位置が拘束されるように入れられ、前記弁棒を前記位置規制螺合部材に貫設させて前記位置規制孔へ螺着させ、前記つまみと前記弁棒の末端部に設けられた結合部とを組み合わせて固定させることを特徴とするガス供給構造が提供される。
【０００６】
本考案は、前記の構成からなるものであり、吸入ガスの発生を容易に下ものであり、流量を微調整可能とするなど、特許文献１に記載の気体供給構造を改良した構成としたものである。
【考案の効果】
【０００７】
本考案によれば、場所及び時を選ばず、特定の粉末及び液体を組み合せて所望のガスを発生させることが可能であり、また、容器本体を各種規格に適合可能であり、携帯可能なガス供給構造を提供することができる。
【図面の簡単な説明】
【０００８】
【図１】本考案の一実施形態に係るガス供給構造を示す斜視図である。
【図２】本考案の一実施形態に係るガス供給構造を示す分解斜視図である。
【図３】本考案の一実施形態に係るガス供給構造を示す断面図である。
【図４】本考案の一実施形態に係るガス供給構造の凝縮部材を示す部分拡大図である。
【図５】本考案の一実施形態に係るガス供給構造の粉末及び水を容器本体へ入れるときの状態を示す模式図である。
【図６】本考案の一実施形態に係るガス供給構造の粉末と水とを混合させて使用するときの状態を示す模式図である。
【図７】本考案の一実施形態に係るガス供給構造を使用するときの状態を示す部分拡大図である。
【図８】本考案の一実施形態に係るガス凝縮部材からガスを出力するときの状態を示す模式図である。
【図９】本考案の一実施形態に係るガス凝縮部材をオフしたときの状態を示す模式図である。
【考案を実施するための形態】
【０００９】
以下、本考案の実施形態について図面に基づいて説明する。なお、これらによって本考案が限定されるものではない。
【００１０】
図１〜図３を参照する。図１〜図３に示すように、本考案の一実施形態に係るガス供給構造は、少なくとも容器本体１０、バルブ部材２０、凝縮部材３０及び調整部材４０から構成される。容器本体１０は、収納空間１１を有して開口１２が設けられている。開口１２には、螺設部が設けられ後記の締結部と螺合可能なネジが用いられるが、雌ネジの螺設部１２１が好ましい。バルブ部材２０は、上部に圧力計２１が取り付けられ、下部に、容器本体１０と組み合わせることが可能な締結部２２が凸設されている。締結部２２の底部には、内側に向かって入力口２２１が穿設されている。バルブ部材２０の両側には、組立孔２３及び位置規制孔２４がそれぞれ設けられ、位置規制孔２４の内部に変位空間２４１が形成されている。変位空間２４１は、組立孔２３に向かって穿設された調整流路２５であり、調整流路２５を介して、圧力計２１の圧力流路２１１と、入力口２２１の入力流路２２２とが連通される。凝縮部材３０は、流路ベース３１及び凝縮容器３２を有する。流路ベース３１の内部には、頂部から凝縮管３１１が下方へ向かって延伸され、凝縮管３１１には、ガス流路３１２が穿設されるとともに、外部に導管３３が接続され（図４参照。）、流路ベース３１の外側には、バルブ部材２０の組立孔２３と組み合わされることが可能な組立部３１３が凸設されている。組立部３１３は、端部から流路ベース３１内部に向かって輸送流路３１４が穿設される。凝縮容器３２は、流路ベース３１と組み合わされる。調整部材４０は、弁棒４１、位置規制螺合部材４２及びつまみ４３を有する。弁棒４１は、ストッパ部４１１を有するとともに、ストッパ部４１１の前端中央部から錐状の調整針部４１２が延伸される。ストッパ部４１１は、後段部の弁棒４１上に形成された雄ネジである螺動部４１３を有し、末端部に結合部４１４が設けられる。弁棒４１は、ストッパ部４１１によりバルブ部材２０内部の変位空間２４１内へ位置を拘束するように入れられ、位置規制螺合部材４２を弁棒４１に貫設させて位置規制孔２４へ螺着させ、つまみ４３に、弁棒４１の末端部に設けた結合部４１４を組み合わせて固定させる。
【００１１】
図２及び図３を参照する。図２及び図３に示すように、本実施形態のバルブ部材２０は、底部の締結部２２により、容器本体１０の上部に設けられた開口の螺設部１２１上に取り付けられ、両側に設けられた組立孔２３及び位置規制孔２４により、凝縮部材３０及び調整部材４０がそれぞれ結合される。凝縮部材３０は、流路ベース３１及び凝縮容器３２に結合され、流路ベース３１の側部から延伸された組立部３１３を、バルブ部材２０の側部に設けた組立孔２３へ取り付けることにより、組立部３１３を貫通させた輸送流路３１４とバルブ部材２０の調整流路２５とを連通させる。調整部材４０の弁棒４１のストッパ部４１１を、バルブ部材２０の位置規制孔２４に貫通させて変位空間２４１内へ位置拘束させ、その前端に設けられた錐状の調整針部４１２を調整流路２５内へ挿設して封止状態を形成し、ストッパ部４１１を変位空間２４１と、調整流路２５との間の開口へ当接させて係合させ、位置規制螺合部材４２を弁棒４１へ貫通させて位置規制孔２４へ螺着させ、弁棒４１のストッパ部４１１が変位空間２４１内に位置規制され、つまみ４３を弁棒４１末端の結合部４１４上へ固定させてガス供給構造を完成させる。
【００１２】
図５〜図８を参照する。図５〜図８に示すように、本実施形態のガス供給構造は、主に特定の粉末Ａと水Ｂとを混合させてガスを発生させ、ユーザがこのガスを吸入することにより必要な養分を得ることができる。この特定の粉末Ａは、水素化シリカパウダー（ｓｉｌｉｃａ  ｈｙｄｒｉｄｅ  ｐｏｗｄｅｒ）混合水を、水素イオンを発生させる物質として用い、実際に使用する際、特定の粉末Ａ及び水Ｂを容器本体１０の収納空間１１内へ入れてから、締結部２２により容器本体１０の螺設部１２１へバルブ部材２０を螺着させ、特定の粉末Ａと水Ｂとを混合させて発生させたガスＣを入力口２２１からバルブ部材２０内部へ入れた後、調整部材４０の弁棒４１によりガスＣが流入する圧力を制御する。ユーザが吸入する際、調整部材４０のつまみ４３を回し、弁棒４１を螺動部４１３により位置規制孔２４の位置規制螺合部材４２内で螺動変位させ、調整針部４１２を調整流路２５内から徐々に引っ張り出すことにより、混合により発生したガスが、入力口２２１から入力流路２２２を介して圧力流路２１１及び調整流路２５内へ流入し、圧力計２１によりガスＣの出力圧力をユーザが知ることができる。調整流路２５に流れるガスＣは、流路ベース３１の輸送流路３１４から凝縮部材３０内に流入する。凝縮部材３０の流路ベース３１には、凝縮管３１１が設けられ、中空状のガス流路３１２が形成されているため、水素イオンを含むガスＣがガス流路３１２から排出され、ユーザは導管３３を介して吸引して使用するために出力され、ガスＣの凝縮により発生した液体が凝縮管３１１を通って凝縮容器３２内を流れ、液体が排出されることを防ぐ。導管３３の末端には、吸入器（図示せず）が接続され、ユーザは便利に吸入することができる。反対に、ガスＣがバルブ部材２０を介して凝縮部材３０に流れ、ユーザの吸入に使用する場合、図９に示すように、調整部材４０のつまみ４３を反転させて弁棒４１を内側へ変位させ、錐状の調整針部４１２を調整流路２５内へ深く入れ、変位空間２４１と調整流路２５との間の開口へストッパ部４１１を当接させて封止状態にする。
【００１３】
本考案の容器本体１０は、実際に使用する際、発生させたいガスの量又は携帯性に応じて適宜な大きさへ変更してもよい。
【００１４】
上述したことから分かるように、本考案のガス供給構造は、以下の効果を得ることができる。
【００１５】
本考案は、特定の粉末Ａと水Ｂとを一定量及び比率で混合させた後、ガス供給構造を安全に操作して何時でも何処でもガス供給構造を使用し、有益なガスを吸入し、ユーザはニーズに応じて様々な粉末及び液体を組み合わせて特定ガスを発生させることにより、繰り返して使用することができる。本考案の最も大きな長所は、ガス供給構造の容器本体１０を様々な規格及びサイズに設計することにより、ユーザの必要に応じて何時でも携帯できる軽量かつ小型の容器本体１０を提供する。これにより、比較的大きな容器本体１０を長時間使用し、従来の高圧充填ガスの厚くて重いボンベが携帯に不便である上、何時でも繰り返して使用することもできず、何時でも様々なガスに交換することもできないという欠点を解決することができる。
【００１６】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１０ 容器本体
１１ 収納空間
１２ 開口
２０ バルブ部材
２１ 圧力計
２２ 締結部
２３ 組立孔
２４ 位置規制孔
２５ 調整流路
３０ 凝縮部材
３１ 流路ベース
３２ 凝縮容器
３３ 導管
４０ 調整部材
４１ 弁棒
４２ 位置規制螺合部材
４３ つまみ
１２１ 螺設部
２１１ 圧力流路
２２１ 入力口
２２２ 入力流路
２４１ 変位空間
３１１ 凝縮管
３１２ ガス流路
３１３ 組立部
３１４ 輸送流路
４１１ ストッパ部
４１２ 調整針部
４１３ 螺動部
４１４ 結合部
【図１】
0003177878.tif 000003
【図２】
0003177878.tif 000004
【図３】
0003177878.tif 000005
【図４】
0003177878.tif 000006
【図５】
0003177878.tif 000007
【図６】
0003177878.tif 000008
【図７】
0003177878.tif 000009
【図８】
0003177878.tif 000010
【図９】
0003177878.tif 000011